(57)【要約】【課題】揚送装置を、その揚送部材でもって、遊技球の初期的な揚送を円滑に行うよう構成した遊技機を提供する。【解決手段】螺旋部材１７０は螺旋体１７４を有しており、当該螺旋体１７４は、複数の螺旋部でもって、回転軸１７３の軸周りに螺旋状に形成されている。ここで、螺旋体１７４の複数の螺旋部のうち最下端螺旋部は、緩やかな所定の螺旋勾配にて形成されている。【選択図】図８
2015159852.tif 000002
【特許請求の範囲】
【請求項１】
遊技盤と、
この遊技盤の裏側に設けられる長手状通路部材及び当該長手状通路部材の内部にその軸方向に沿い収容されて前記長手状通路部材の下端開口部に供給される遊技球を揚送して前記長手状通路部材の上端開口部から排出する揚送部材からなる揚送装置と、
前記長手状通路部材の前記上端開口部から排出される遊技球を前記遊技盤の盤面に設けた遊技領域に向けて発射するように前記遊技盤に設けてなる球発射装置とを備えて、
前記揚送装置の前記揚送部材は、前記長手状通路部材内にてその通路方向に沿い支持される回転軸と、この回転軸の下端部から上端部にかけて当該回転軸の外周面から螺旋状に突出するように形成されて前記回転軸の回転に伴い前記長手状通路部材の前記下端開口部に供給される遊技球を当該長手状通路部材の前記上端開口部側へ揚送する螺旋体とを具備しており、
前記揚送装置は、前記螺旋体の遊技球導入部における遊技球の前記揚送速度を抑制するように構成されている遊技機。
【請求項２】
前記螺旋体を構成する複数の螺旋部のうちの最下端螺旋部は、前記遊技球導入部として、前記最下端螺旋部に隣接する螺旋部よりも、緩やかな所定の螺旋勾配となるように形成されてなることを特徴とする遊技機。
【請求項３】
前記螺旋体は、前記最下端螺旋部の遊技球導入端側にて螺旋勾配を零となるように形成してなることを特徴とする請求項２に記載の遊技機。
【請求項４】
前記長手状通路部材の下方に設けられる収容体であってその周壁の内周面の一部の周方向に沿い遊技球を案内するように形成してなる案内路部を有する収容体と、前記収容体の内部に支持されて前記案内路部に沿い遊技球を前記長手状通路部材の直下に向けて案内する案内部材を有する駆動手段とを備えており、
前記揚送部材は、前記回転軸及び前記螺旋体の各下部にて、前記収容体の内部に位置するように配設されており、
前記収容体は、さらに、前記案内路部からの遊技球を前記螺旋体の最下端螺旋部に円滑に乗せるように前記案内路部の案内方向端部側から前記周壁のうち前記案内方向端部に対する対応壁部に亘り傾斜状に形成してなる傾斜部を設けてなることを特徴とする請求項２または３に記載の遊技機。
【発明の詳細な説明】
【技術分野】
【０００１】
本発明は、パチンコ遊技機等の遊技機に関する。
【背景技術】
【０００２】
従来、この種の遊技機においては、例えば、下記特許文献１に記載の弾球遊技機がある。当該パチンコ遊技機においては、揚送ユニットは、パチンコ球を単体揚送する揚送スクリューを収容してなる揚送路と、当該揚送路の下部に設けられて揚送スクリューを駆動する駆動モータと、揚送スクリューにパチンコ球を供給する球供給スプロケットを有する下部ユニットとを備えている。
【０００３】
ここで、揚送スクリューは、軸と、この軸に同軸的に所定の螺旋ピッチにて形成した螺旋部とでもって構成されている。
【０００４】
また、下部ユニットには、誘導傾斜樋を流下してきたパチンコ球を揚送路内に供給する円盤状球供給スプロケットが、駆動モータにより駆動される駆動ギアと噛合する受動ギアと同軸的に設けられており、当該球供給スプロケットの外周には、１８０度にて対向する位置にて、パチンコ球を収容可能な半円形の球収容部が設けられている。
【０００５】
このように構成した揚送装置では、揚送スクリューが、駆動モータにより駆動されて回転するとともに、球供給スプロケットが，駆動ギア及び受動ギアを介し駆動モータにより駆動されて回転すると、当該揚送スクリューは、その下部に位置する打球供給皿から誘導傾斜樋を通じて供給されるパチンコ球を、揚送路を通して、上方に位置する発射装置に間歇揚送する。
【先行技術文献】
【特許文献】
【０００６】
【特許文献１】特開２００３−３２５７８７号公報
【発明の概要】
【発明が解決しようとする課題】
【０００７】
ところで、上述した弾球遊技機の揚送ユニットでは、揚送路内には、最大で２つの球しか存在し得ないように、パチンコ球を１つずつ揚送スクリューに対して供給すべく、揚送スクリューが、受動ギア、即ち、球供給スプロケットの１回転に伴い、３回転するようになっている。このため、揚送スクリューの螺旋部の螺旋ピッチが広くなり当該螺旋部の螺旋勾配が大きくなる。このようなことは、揚送スクリューの軸長が長い程著しい。
【０００８】
従って、パチンコ球が揚送スクリューの下部に供給されると、当該パチンコ球は、揚送スクリューにより、螺旋部の大きな螺旋勾配でもって、上方へ揚送されることになる。これでは、パチンコ球に対する揚送スクリューによる初期の揚送速度が急激過ぎて、パチンコ球に対する初期揚送が円滑には行われにくいという不具合を招く。
【０００９】
そこで、本発明は、上述したことに対処するため、揚送装置を、その揚送部材でもって、遊技球の初期的な揚送を円滑に行うよう構成した遊技機を提供することを目的とする。
【課題を解決するための手段】
【００１０】
上記課題の解決にあたり、本発明に係る遊技機は、請求項１の記載によれば、
遊技盤（１２０）と、
この遊技盤の裏側に設けられる長手状通路部材（１６０）及び当該長手状通路部材の内部にその軸方向に沿い収容されて前記長手状通路部材の下端開口部（１６１）に供給される遊技球を揚送して前記長手状通路部材の上端開口部（１６２ａ、１６２ｃ）から排出する揚送部材（１７０）からなる揚送装置（Ｕ）と、
上記長手状通路部材の上記上端開口部から排出される遊技球を遊技盤の盤面に設けた遊技領域（１２１）に向けて発射するように遊技盤に設けてなる球発射装置（１４０）とを備えて、
揚送装置の上記揚送部材は、上記長手状通路部材内にてその通路方向に沿い支持される回転軸（１７３）と、この回転軸の下端部から上端部にかけて当該回転軸の外周面から螺旋状に突出するように形成されて上記回転軸の回転に伴い上記長手状通路部材の上記下端開口部に供給される遊技球を当該長手状通路部材の上記上端開口部側へ揚送する螺旋体（１７４、１７４ａ、１７４ｂ、１７４ｃ）とを具備しており、
揚送装置は、上記螺旋体の遊技球導入部における遊技球の上記揚送速度を抑制するように構成されている。
【００１１】
これによれば、螺旋体の遊技球導入部における遊技球の揚送速度が抑制されるので、遊技球が螺旋体の遊技球導入部に対し緩やかに導入される。従って、遊技球は、螺旋体の遊技球導入部と衝突したり球噛みしたりすることなく円滑に遊技球導入部に導入され得る。
【００１２】
また、本発明は、請求項２の記載によれば、請求項１に記載の遊技機において、
上記螺旋体を構成する複数の螺旋部のうちの最下端螺旋部（１７４ａ）は、上記遊技球導入部として、上記最下端螺旋部に隣接する螺旋部（１７４ｃ）よりも、緩やかな所定の螺旋勾配となるように形成されてなることを特徴とする。
【００１３】
このように、螺旋体の最下端螺旋部は、遊技球導入部として、残りの各螺旋部よりも、緩やかな所定の螺旋勾配にて形成されているから、遊技球は、最下端螺旋部に衝突することなく、円滑に最下端螺旋部に導入することができる。
【００１４】
また、本発明は、請求項３の記載によれば、請求項２に記載の遊技機において、
上記螺旋体は、上記最下端螺旋部の遊技球導入端側にて螺旋勾配を零となるように形成してなることを特徴とする。
【００１５】
このように、螺旋体が、最下端螺旋部の遊技球導入端側にて螺旋勾配を零となるように形成されていることによっても、請求項１に記載の発明の作用効果と同様の作用効果を達成することができる。
【００１６】
また、本発明は、請求項４の記載によれば、請求項２または３に記載の遊技機において、
上記長手状通路部材の下方に設けられる収容体であってその周壁の内周面の一部の周方向に沿い遊技球を案内するように形成してなる案内路部（Ｒ）を有する収容体（１５１、Ｖａ、Ｖｂ、１５１ｂ、１５１ｃ）と、前記収容体の内部に支持されて上記案内路部に沿い遊技球を上記長手状通路部材の直下に向けて案内する案内部材（１５０ｃ）を有する駆動手段（Ｍ、１５２、１５３，１５０ｃ）とを備えており、
前記揚送部材は、前記回転軸及び前記螺旋体の各下部にて、前記収容体の内部に位置するように配設されており、
前記収容体は、さらに、前記案内路部からの遊技球を前記螺旋体の最下端螺旋部（１７４ｄ）に円滑に乗せるように前記案内路部の案内方向端部側から前記周壁のうち前記案内方向端部に対する対応壁部に亘り傾斜状に形成してなる傾斜部（Ｒ１）を設けてなることを特徴とする。
【００１７】
このように、収容体においては、傾斜部が、案内路部からの遊技球を螺旋体の最下端螺旋部に円滑に乗せるように案内路部の案内方向端部側から上記周壁のうち上記案内方向端部に対する対応壁部に亘り傾斜状に形成されているから、遊技球が、案内路部から傾斜部の上面を介し最下端螺旋部に円滑に乗せられて揚送され得る。
【発明の効果】
【００１８】
本発明によれば、螺旋体の遊技球導入部における遊技球の揚送速度が抑制されるので、遊技球が螺旋体の遊技球導入部に対し緩やかに導入される。従って、遊技球は、螺旋体の遊技球導入部と衝突したり球噛みしたりすることなく円滑に遊技球導入部に導入され得る。
【００１９】
なお、上記各手段の括弧内の符号は、後述する実施形態に記載の具体的手段との対応関係を示す。
【図面の簡単な説明】
【００２０】
【図１】本発明を適用してなる遊技設備の斜視図である。
【図２】本発明を適用してなる遊技設備の斜視図である。
【図３】図２の遊技盤の正面図である。
【図４】図３の揚送装置の下部を示す拡大斜視図である。
【図５】図２の揚送装置の概略縦断断面図である。
【図６】図５の揚送部材の部分拡大破断斜視図である。
【図７】図６の揚送部材の部分破断縦断断面図である。
【図８】図５の螺旋部材及び歯車部材の部分破断側面図である。
【図９】図８の螺旋部材の部分破断拡大側面図である。
【図１０】図６の通路部材及び螺旋部材の上部拡大斜視図である。
【図１１】図４にてカムによりその回転に伴い遊技球を案内する状態を示す斜視図である。
【図１２】図１１にて駆動装置１５０をその上側からみた平面図である。
【図１３】図４にてカムによりその回転に伴い遊技球を案内する状態を示す斜視図である。
【図１４】図１３にて駆動装置をその上側からみる平面図である。
【図１５】図１３にてカムによりそのさらなる回転に伴い遊技球をさらに案内する状態を示す斜視図である。
【図１６】図１５にて駆動装置をその上側からみる平面図である。
【図１７】図１５にて駆動装置及び揚送部材をその側面からみた側面図である。
【図１８】図１５にてカムによりそのさらなる回転に伴い遊技球をさらに案内する状態を示す斜視図である。
【図１９】図１８にて駆動装置をその上側からみる平面図である。
【図２０】図１８にて駆動装置及び揚送部材をその側面からみた側面図である。
【図２１】図１８にてカムによりそのさらなる回転に伴い遊技球をさらに案内する状態を示す斜視図である。
【図２２】図２１にて駆動装置をその上側からみる平面図である。
【図２３】図２１にて駆動装置及び揚送部材をその側面からみた側面図である。
【図２４】図２１にてカムによりそのさらなる回転に伴い遊技球をさらに案内する状態を示す斜視図である。
【図２５】本発明の第２実施形態の要部を示す部分断面図である。
【図２６】上記第２実施形態における螺旋部材の部分破断側面図である。
【図２７】本発明の第３実施形態の要部を示す部分破断斜視図である。
【図２８】図２７の揚送部材の上部の横断面を示す図である。
【図２９】本発明の第４実施形態の要部を示すブロック図である。
【図３０】上記第３実施形態における揚送部材及び駆動装置の部分破断斜視図である。
【図３１】上記第３実施形態における揚送部材及び駆動装置の部分破断図である。
【図３２】上記第３実施形態における揚送部材及び駆動装置をその上側からみた模式的平面図である。
【図３３】図２９のマイクロコンピュータにより実行される制御プログラムに対応するフローチャートである。
【発明を実施するための形態】
【００２１】
以下、本発明の各実施形態を図面により説明する。
（第１実施形態）
図１は、本発明を遊技機設備Ａに適用してなる第１実施形態を示している。遊技機設備Ａは、パチンコホール内の島設備に立設されるものである。なお、図１において、図示左側斜め後方、右側斜め前方、上側及び下側が、それぞれ、当該遊技機設備Ａの左側、右側、上側及び下側に対応する。
【００２２】
当該遊技機設備Ａは、封入式パチンコ遊技機１００と、球貸し処理装置２００とにより構成されている。パチンコ遊技機１００は、球貸し処理装置２００と共に、上記島設備の設置台上に配置されるようになっている。ここで、球貸し処理装置２００は、パチンコ遊技機１００にその左側にて沿うように上記設置台上に配置されるようになっている。
【００２３】
パチンコ遊技機１００は、図１にて示すごとく、機枠１００ａ、遊技機本体１００ｂ及び前扉１００ｃを備えている。機枠１００ａは、外枠ともいわれるもので、この機枠１００ａは、島設備の設置台上に立設されるようになっている。
【００２４】
遊技機本体１００ｂは、図３にて示すごとく、本体枠１１０及び遊技盤１２０を備えている。本体枠１１０は、中枠或いは内枠ともいわれるもので、当該本体枠１１０は、機枠１００ａ内に前後方向に開閉可能に組み付けられている。
【００２５】
遊技盤１２０は、本体枠１１０の枠部１１０ａ内にその前面側から組み付けられており、当該遊技盤１２０は、その盤面１２１にて、前方を臨んでいる。なお、本体枠１１０は、枠部１１０ａ及び下板部１１０ｂを上下に有するように一体的に形成されている。
【００２６】
また、遊技機本体１００ｂは、図３にて示すごとく、盤面部品群１３０を備えており、当該盤面部品群１３０は、案内レール１３１、環状の装飾構造体１３２、液晶表示装置１３３、始動入賞口装置１３４や大入賞口装置１３５等の各種入賞口装置及び図示しない電動チューリップ、ゲート、風車その他の各盤面部品でもって構成されている。
【００２７】
案内レール１３１は、遊技盤１２０の盤面１２１に組み付けられており、当該案内レール１３１は、その内周側にて、盤面１２１上に遊技領域１２１ａを構成する。ここで、案内レール１３１は、その基端部１３１ａにて、遊技盤１２０の左上側隅角部に位置しており、当該案内レール１３１は、基端部１３１ａから遊技盤１２０の盤面１２１の外周部に沿うように外方へ凸な湾曲状に延出されて、延出端部１３１ｂにて、基端部１３１ａの外側（遊技領域１２１ａとは反対側）に位置している。
【００２８】
ここで、当該案内レール１３１は、その最下端部にて、遊技盤１２０に形成してなるアウト口１２１ｂの直下に位置している。これにより、遊技盤１２０の盤面１２１に沿い転動して案内レール１３１の最下端部に達する遊技球は、アウト口１２１ｂを介し遊技盤１３０の後側へ排出される。また、このように排出される遊技球は、球排出部材１２０ａ（図３参照）を介し球誘導部材１２１ｃ内に転動する。
【００２９】
上述した球排出部材１２０ａは、アウト口１２１ｂを通り排出される遊技球を球誘導部材１２１ｃ内に転動させるように、遊技盤１３０にその後側から配設されている。また、球誘導部材１２１ｃは、球排出部材１２０ａからの遊技球を揚送装置Ｕ（後述する）に向けて誘導するように、球排出部材１２０ａと揚送装置Ｕとの間にて遊技盤１３０にその後側から配設されている。また、アウト口１２１ｂを通り排出される遊技球は、アウト口１２１ｂ内に設けた排出センサ（図示しない）により検出される。なお、球排出部材１２０ａ及び球誘導部材１２１ｃは、図３では、便宜上、実線により描かれている。
【００３０】
環状の装飾構造体１３２は、遊技盤１２０の開口部（図示しない）にその外周部に沿い前面側から組み付けられている。液晶表示装置１３３は、装飾構造体１３２の内側にて、遊技盤１２０の上記開口部に本体枠１１０の矩形状開口部を介し嵌装して組み付けられている。
【００３１】
始動入賞口装置１３４及び大入賞口装置１３５は、装飾構造体１３２の直下にて、遊技盤１２０の盤面１２１に組み付けられている。上記電動チューリップ、ゲート、風車は、遊技盤１２０の盤面１２１に分散して組み付けられている。なお、遊技盤１２０の盤面１２１には、その遊技領域１２１ａに亘り、多数の遊技釘（図示しない）が、分散して打ち込まれている。
【００３２】
また、遊技機本体１００ｂは、図１〜図４のいずれかにて示すごとく、操作ハンドル１４０ａを備えており、この操作ハンドル１４０ａは、本体枠１１０の下板部１１０ｂの右下隅角部にその前面側から左右方向に回動操作可能に支持されている。当該操作ハンドル１４０ａは、球発射装置本体１４０ｂと共に、球発射装置１４０を構成する。
【００３３】
球発射装置１４０において、球発射装置本体１４０ｂは、本体枠１１０の左上隅角部にその前面側から組み付けられている。なお、本体枠１１０の上記左上隅角部は、遊技盤１２０の左上隅角部に切り欠き形成した切り欠き部１２１ｄを介し前方に露呈している。
【００３４】
当該球発射装置本体１４０ｂは、支持基板１４１と、当該支持基板１４１に組み付けた槌機構（図示しない）と、支持基板１４１にその裏面側から組み付けたロータリーソレノイド（図示しない）と、発射レール１４２とを備えている。
【００３５】
支持基板１４１は、本体枠１１０の上記左上隅角部にその前側から複数のねじの締着でもって組み付けられている。上記槌機構は、その槌にて、上記ロータリーソレノイドの一方向或いはその逆方向への回動に伴い、発射レール１４２上の遊技球を発射するように後退回動位置から打撃回動位置に向け回動し、或いは遊技球の発射後、打撃回動位置から後退回動位置に向け回動するようになっている。
【００３６】
発射レール１４２は、上記槌の打撃回動位置から遊技球の発射方向に沿うように案内レール１３１の基端部１３１ａと延出端部１３１ｂとの間にて、遊技盤１２０の盤面１２１に設けられている。なお、当該発射レール１４２の発射基端部の上側近傍には、ストッパ（図示しない）が設けられており、当該ストッパは、発射レール１４２の発射基端部上の遊技球を発射可能なように当該発射基端部上に待機させる役割を果たす。
【００３７】
しかして、球発射装置１４０によれば、球発射装置本体１４０ｂは、操作ハンドル１４０ａの回動操作に伴い、球送り装置（図示しない）から送られる遊技球を、発射レール１４２を介し遊技盤１２０の盤面１２１の遊技領域１２１ａに向けて発射するように構成されている。なお、上記球送り装置は、球発射装置本体１４０ｂの支持基板１４１にその裏面側から設けられており、当該球送り装置は、揚送装置Ｕから球通路（図示しない）を介し供給される遊技球を取り込んで支持基板１４１に設けた開口部１４１ａ（図３参照）から発射レール１４２上に送るようになっている。
【００３８】
揚送装置Ｕは、図２或いは図３から分かるように、遊技機本体１００ｂの本体枠１１０の左側縁部に沿いその後側（裏側）から立設されているもので、当該揚送装置Ｕは、図２〜図５及び図７のいずれかにて示すごとく、駆動装置１５０と、筒状通路部材１６０と、軸状揚送部材１７０とを備えている。なお、図２及び図３では、揚送装置Ｕは、便宜上、実線により描かれている。
【００３９】
駆動装置１５０は、本体枠１１０の下板部１１０ｂ（図３参照）の左下隅角部にその裏側から取り付けられているもので、当該駆動装置１５０は、図４或いは図５にて示すごとく、ケーシング１５０ａと、駆動機構１５０ｂと、板状カム１５０ｃとを備えている。
【００４０】
ケーシング１５０ａは、基体１５１を有しており、当該基体１５１は、本体枠１１０の下板部１１０ｂの左下隅角部にその裏側から取り付けられている。当該基体１５１は、球誘導通路１５１ａと、筒１５１ｂと、包囲壁１５１ｃとを有している。なお、包囲壁１５１ｃは、筒１５１ｂと共に、収容筒体を構成する。
【００４１】
球誘導通路１５１ａは、球誘導部材１２１ｃからの遊技球を受け入れるためのもので、当該球誘導通路１５１ａは、図４にて示すごとく、基体１５１の一側部位からその上方へ横断面Ｕ字状に延出するように形成されている。なお、当該球誘導通路１５１ａは、その通路方向にて、図４にて示すごとく、緩やかなＳ字状に形成されている。
【００４２】
ここで、当該球誘導通路１５１ａは、その外端開口部ａにて、球誘導部材１２１ｃにより誘導された遊技球を受け入れるように、当該球誘導部材１２１ｃに対向しており、当該球誘導通路１５１ａは、外端開口部ａにて受け入れた球誘導部材１２１ｃからの遊技球を内端開口部ｂに向けてＳ字状に誘導するようになっている。
【００４３】
筒１５１ｂは、その内部にて、駆動機構１５０ｂの一部の構成素子を軸状揚送部材１７０の下部と共に収容するように、基体１５１の一側部位にその上面から下方に向け凹状に形成されている。ここで、筒１５１ｂは、駆動機構１５０ｂの一部の構成素子を収容する筒部Ｖａと、軸状揚送部材１７０の下部を収容する筒部Ｖｂとによって構成されており、筒部Ｖａは、案内路部Ｒ（後述する）を介し筒部Ｖｂに隣接している。
【００４４】
包囲壁１５１ｃは、軸状揚送部材１７０の下部のうち螺旋部材１７０ｂ（後述する）の下部と共にカム１５０ｃを包囲するように、筒２５１ｂの上端開口部（基体１５１の上面に位置する）から上方へ延出されており、当該包囲壁１５１ｃは、カム１５０ｃに対応する円弧状壁部ｄ１と、螺旋部材１７０ｂの下部に対応する円弧状壁部ｄ２でもって構成されている。
【００４５】
ここで、円弧状壁部ｄ１は、カム１５０ｃを内包するとともに案内路部Ｒ（図４参照）を形成するように、筒部Ｖａに対し偏心した位置にて基体１５１の上面から上方へ延出しており、当該円弧状壁部ｄ１は、その切り欠き開口部ｄ３にて、球誘導通路１５１ｂの内端開口部ｂと連通している。これにより、球誘導通路１５１ｂの内端開口部ｂからの遊技球は、円弧状壁部ｄ１内にその切り欠き開口部ｄ３から進入する。
【００４６】
案内路部Ｒは、図４、図１３、図１４及び図１５のいずれかにて例示するように、筒１５１ｂのうち筒部Ｖａの周壁部上にて、円弧状壁部ｄ１の内面部に沿うように円弧状壁部ｄ１の切り欠き開口部ｄ３のうち図１４にて図示下側縁部から包囲壁１５１ｃの境界壁部ｄ４の下端部にかけて形成されている。
【００４７】
これに伴い、円弧状壁部ｄ１内にその切り欠き開口部ｄ３から進入する遊技球は、案内路部Ｒ上に沿い、筒状通路部材１６０の直下を通り包囲壁１５１ｃの境界壁部ｄ４に向けて案内可能となっている。
【００４８】
円弧状壁部ｄ２は、円弧状壁部ｄ１のうち切り欠き開口部ｄ３とは異なる部位を基体１５１の上面に沿い外方へ横断面円弧状に隆起させるように形成して、筒部Ｖｂの上端開口部（基体１５１の上面に位置する）から上方へ円弧状に延出している。ここで、当該円弧状壁部ｄ２は、図４にて示すごとく、球誘導通路１５１ａとは反対側端部にて、円弧状壁部ｄ１の球誘導通路１５１ａとは反対側端部に境界壁部ｄ４を介し連結されている。なお、円弧状壁部ｄ２の隆起方向は、球誘導通路部１５１ｂの基体１５１からその上面に沿い延出する方向に並行となっている（図４参照）。
【００４９】
駆動機構１５０ｂは、電動機Ｍを備えており、当該電動機Ｍは、その電動機本体にて、基体１５１にその下面側から支持されている。当該電動機Ｍは、その電動機本体から同軸的に延出する出力軸（図示しない）にて、基体１５１を通り回転自在に上方に突出している。また、駆動機構１５０ｂは、電動機Ｍの出力軸に同軸的に支持してなるピニオン（図示しない）を備えており、当該ピニオンには、軸状揚送部材１７０のピニオン１７２と噛合する平歯車１５２（図５参照）に噛合するようになっている。
【００５０】
当該平歯車１５２は、筒１５１ｂの筒部Ｖａ（図４及び図５参照）内に回転自在に支持してなる軸１５３とともに、筒部Ｖａ内に収容されている。ここで、平歯車１５２は、軸１５３の下端部に同軸的に支持されている。
【００５１】
カム１５０ｃは、上述のごとく筒１５１ｂの筒部Ｖａ内に同軸的に支持してなる軸１５３の上端部に円弧状壁部ｄ１内にて同軸的に支持されている。これに伴い、カム１５０ｃは、電動機Ｍの回転に連動する平歯車１５２及び軸１５３の回転に連動して回転する。
【００５２】
ここで、カム１５０ｃは、図４にて示すごとく、切り欠き部１５４を有しており、当該切り欠き部１５４は、遊技球を受承可能なようにカム１５０ｃの一部をその外周面から横断面略扇形状（図１２参照）に切り欠くことで形成されている。なお、切り欠き部１５４は、遊技球を受承して案内路部Ｒ上に沿い円滑に案内し得るように、カム１５０ｃの外周面からその半径方向へ所定の深さだけ切り欠くようにカム１５０ｃの中心よりも浅く形成されている。
【００５３】
これにより、カム１５０ｃは、平歯車１５２の回転に伴い、軸状螺旋部材１７０の図４にて図示左回り方向回転（以下、正転ともいう）とともに、図４にて図示反時計方向に回転（以下，正転ともいう）して、円弧状壁部ｄ１内にその切り欠き開口部ｄ３から順次進入する遊技球を切り欠き部１５４内に受承して案内路部Ｒの上面に沿い軸状揚送部材１７０の下端部に向け案内する。なお、カム１５０ｃの外周面と円弧状壁部ｄ１の内周面との間の間隔は、遊技球の外径よりも狭く設定されている。このため、切り欠き部１５４内に受承された遊技球は、切り欠き部１５４から脱出することなく当該切り欠き部１５４内に保持されたまま案内路部Ｒの上面に沿い案内される。
【００５４】
筒状通路部材１６０は、図２〜図４のいずれかにて示すごとく、駆動装置１５０の包囲壁１５１ｃのうち円弧状壁部ｄ２から上方へ立設されており、当該通路部材１６０は、透明の合成樹脂材料でもって、図４〜図６のいずれかから分かるように、横断面円弧状筒部１６０ａと、横断面コ字状球案内部１６０ｂとでもって一体的に形成されている。
【００５５】
ここで、筒状通路部材１６０は、図５にて示すごとく、下端開口部１６１を有しており、当該下端開口部１６１は、筒状通路部材１６０の下端部（横断面円弧状筒部１６０ａ及び横断面コ字状球案内部１６０ｂの両下端部）にて、下方に向け開口形成されている。換言すれば、下端開口部１６１は、横断面円弧状筒部１６０ａの下端開口部１６１ａ及び横断面コ字状球案内部１６０ｂの下端開口部１６１ｂでもって、単一の開口部として形成されている。
【００５６】
円弧状筒部１６０ａは、その下端開口部１６１ａにて、駆動装置１５０の円弧状壁部ｄ２上に着座して上方へ延出している。本実施形態では、円弧状筒部１６０ａの下端開口部１６１ａの開口形状は、ケーシング１５０ａの包囲壁１５１ｃのうち円弧状壁部ｄ２の上端部の開口形状と同一である。このため、円弧状筒部１６０ａは、その下端開口部１６１ａにて、包囲壁１５１ｃのうち円弧状壁部ｄ２の上端部に同軸的に着座して、円弧状壁部ｄ２内に向け開口している。
【００５７】
横断面コ字状球案内部１６０ｂは、図４〜図６のいずれかにて示すごとく、連結壁部１６２と、当該連結壁部１６２の両側縁部からＬ字状に延出する両対向側壁部１６２ｂとでもって、横断面コ字状に構成されている。
【００５８】
ここで、当該横断面コ字状球案内部１６０ｂは、その両対向側壁部１６２ｂにて、円弧状筒部１６０ａの円弧方向開口部（上下方向開口部）からカム１５０ｃの直上に向けて延出している。従って、当該横断面コ字状球案内部１６０ｂは、その下端開口部１６１ｂにて、包囲壁１５１ｃのうち円弧状壁部ｄ１と円弧状壁部ｄ２との境界領域に向け開口している。
【００５９】
また、横断面コ字状球案内部１６０ｂの連結壁部１６２は、図６にて示すごとく、上端開口部１６２ａを有しており、この上端開口部１６２ａは、連結壁部１６２の上端部に開口形成されている。本実施形態では、当該上端開口部１６２ａは、螺旋部材１７０の螺旋体１７４（後述する）の最上端螺旋部１７４ｂ（後述する）による遊技球の排出位置に対応する回転軸１７３の外周面部の接線方向（回転軸１７３の回転における仮想外周面部の接線方向）とは直角な方向に形成されている。なお、当該上端開口部１６２ａの開口形状は、遊技球の外形形状よりも幾分大きい。
【００６０】
ここで、横断面コ字状球案内部１６０ｂは、その上端開口部１６２ａにて、上記球送り装置の球導入口部内に連通するように球発射装置１４０の基板１４１の後側にて上記球送り装置を介し配設されている。
【００６１】
本実施形態では、当該横断面コ字状球案内部１６０ｂにおいて、その両対向側壁部１６２ｂの各内面の対向間隔は、遊技球の外径よりも幾分大きく設定されており、両対向側壁部１６２ｂの連結壁部１６２の内面からの延出長さは、遊技球の外径よりも幾分短く設定されている。このことは、遊技球が後述のごとく螺旋部材１７０ｂにより横断面コ字状球案内部１６０ｂの内部を上方へ案内されるとき、当該遊技球が、後述のごとく、部分的に横断面コ字状球案内部１６０ｂの内部から円弧状筒部１６０ａの内部に突出しながら、螺旋体１７４により、横断面コ字状球案内部１６０ｂの内部に沿い上方へ案内されていくことを意味する。
【００６２】
また、筒状通路部材１６０は、その上壁部１６３にて、図７にて示すごとく、縦断面楔状突出部１６４を有しており、当該縦断面楔状突出部１６４は、上壁部１６３のうち横断面コ字状球案内部１６０ｂに対応する壁部位から下方に向けて横断面直角三角形状に突出形成されている。
【００６３】
ここで、縦断面楔状突出部１６４は、その垂下面１６４ａにて、回転軸１７３（後述する）の上端部より上端開口部１６２ａ側に位置しており、当該縦断面楔状突出部１６４の斜面１６４ｂは、上端開口部１６２ａを通しその外方に対向している。
【００６４】
これにより、筒状通路部材１６０の内部に沿い螺旋部材１７０ｂによりその正転（図７にて図示左回り方向の回転）でもって下方から上方へ案内される遊技球は、縦断面楔状突出部１６４により、その斜面１６４ｂにて、回転軸１７３の上端部から案内されて上端開口部１６２ａを通りその外方へ排出される。
【００６５】
ここで、螺旋部材１７０ｂにより上方へ案内される遊技球は、当該螺旋部材１７０ｂの螺旋体１７４の螺旋部（最上端螺旋部１７４ｂ）により横断面コ字状球案内部１６０ｂの両側対向壁部１６２ｂの一方（図７にて図示奥側対向壁部１６２ｂ）の内面方向（最上端螺旋部１７４ｂによる遊技球の押し出し位置に対応する上記回転軸の外周面部の接線方向）へ押し出されるが、当該遊技球は、上記奥側対向壁部１６２ｂの内面及び縦断面楔状突出部１６４の斜面１６４ｂに沿い上端開口部１６２ａの方向（最上端螺旋部１７４ｂによる遊技球の押し出し位置に対応する上記回転軸の外周面部の接線方向とは直角な方向）に向けて案内されて当該上端開口部１６２ａから外方へ排出される。このことは、遊技球が螺旋体１７４の螺旋部による押される方向とはほぼ直角な方向に強制的に方向転換されて排出されることを意味する。
【００６６】
軸状揚送部材１７０は、図２〜図５及び図６のいずれかにて示すごとく、筒状通路部材１６０の横断面円弧状筒部１６０ａ内に同軸的に回転可能に挿通されており、当該軸状揚送部材１７０は、図５或いは図８にて示すごとく、歯車部材１７０ａと、螺旋部材１７０ｂとによって構成されている。
【００６７】
しかして、軸状揚送部材１７０が横断面円弧状筒部１６０ａ内に同軸的に挿通されることで、歯車部材１７０ａは、螺旋部材１７０ｂの下部と共に、包囲壁１５１ｃの円弧状壁部ｄ２を介しケーシング１５０ａの筒１５１ｂの筒部Ｖｂ内に収容されている。
【００６８】
歯車部材１７０ａは、図５或いは図８にて示すごとく、円柱台状ボス１７１と、ピニオン１７２とを有しており、ピニオン１７２は、円柱台状ボス１７１にその直下にて同軸的に連結されて、後述のごとく、駆動装置１５０の駆動機構１５０ｂの平歯車１５２と噛合している。
【００６９】
螺旋部材１７０ｂは、図４〜図９のいずれかにて示すごとく、回転軸１７３と、螺旋体１７４とでもって一体的に構成されている。
【００７０】
回転軸１７３は、歯車部材１７０ａの円柱台状ボス１７１の上端面から上方へ延出するように当該歯車部材１７０ａと同軸的に連結されている。しかして、当該回転軸１７３はピニオン１７２の回転に連動して回転する。
【００７１】
螺旋体１７４は、回転軸１７３の軸方向に沿い当該回転軸１７３の外周面から螺旋状に突出するように形成されている。当該螺旋体１７４は、回転軸１７３の軸方向に沿う複数の螺旋部からなるもので、当該螺旋体１７４の各螺旋部は、その頂部にて、横断面円弧状筒部１６０ａの内面に対し所定の間隙を付与するように、螺旋体１７４の回転軸１７３の外周面からの突出長さにて突出している。
【００７２】
本実施形態において、上記所定の間隙は、横断面コ字状球案内部１６０ｂ内に位置する遊技球のうち連結壁部１６２とは反対側の球部位（横断面コ字状球案内部１６０ｂから横断面円弧状筒部１６０ａ内に突出する球部位）を、螺旋体１７４の各両隣接螺旋部の間に位置させるように、設定されている。従って、遊技球が上記所定の間隙内に入り込むことはない。
【００７３】
また、本実施形態では、平歯車１５２とピニオン１７２との間の歯数比（換言すれば、歯車比）は、次のよう設定されている。遊技球が螺旋部材１７０ｂにより筒状通路部材１６０の下端開口部１６１から当該筒状通路部材１６０内に送り込まれるとき、先に螺旋部材１７０ｂにより筒状通路部材１６０の内部に沿い上方へ案内されている遊技球が筒状通路部材１６０の上下方向中間位置に達するように、平歯車１５２の半回転に対応してピニオン１７２が３回転するように設定されている。つまり、歯数比＝ピニオン１７２の歯数／平歯車１５２の歯数＝１／３となるように設定されている。
【００７４】
換言すれば、遊技球が筒状通路部材１６０の上下方向中間位置まで揚送される毎に、つまり、既に筒状通路部材１６０の上下方向中間位置に揚送されている遊技球が球発射装置１４０に供給される毎に、一遊技球が筒状通路部材１６０内にその下端開口部１６１から供給されるようになっている。このことは、筒状通路部材１６０内には、多くても２個の遊技球しか存在し得ないように、上述のごとく、歯車比が設定されていることを意味する。従って、螺旋体１７４の複数の螺旋部のピッチ及び螺旋勾配が、上記歯数比を前提として、筒状通路部材１６０内には、多くても２個の遊技球しか存在し得ないように、それぞれ、所定のピッチ及び所定の螺旋勾配として、設定されている。
【００７５】
但し、本実施形態では、螺旋体１７４を構成する複数の螺旋部は、最下端に位置する螺旋部１７４ａ（以下、最下端螺旋部１７４ａともいう）、最上端に位置する螺旋部１７４ｂ（以下、最上端螺旋部１７４ｂともいう）及びこれら両螺旋部１７４ａ、１７４ｂの間に位置する各螺旋部１７４ｃ（以下、各中間螺旋部１７４ｃともいう）でもって、構成されている（図８参照）。
【００７６】
また、本実施形態では、最下端螺旋部１７４ａ及び最上端螺旋部１７４ｂの各螺旋勾配は、各中間螺旋部１７４ｃの所定の螺旋勾配（以下、所定の中間螺旋勾配ともいう）に比べて、緩やかな螺旋勾配（以下、所定の緩螺旋勾配ともいう）となるように、設定されている。換言すれば、上記所定の緩螺旋勾配は、上記所定の中間螺旋勾配よりも小さな所定の螺旋勾配ともいえる。
【００７７】
ここで、本実施形態において、上述した所定の緩螺旋勾配を導入した根拠について説明する。
【００７８】
揚送装置Ｕにおいては、上述のごとく、ピニオン１７２が平歯車１５２の半回転に対応して３回転するようになっている。このことは、螺旋部材１７０ｂの回転速度が平歯車１５２の回転速度よりもかなり高いことを意味する。
【００７９】
従って、上述のごとく、筒状通路部材１６０内には、多くても２個の遊技球しか存在し得ないようにするには、螺旋体１７４における螺旋部のピッチ間隔は、回転軸１７３の軸長が長い程、広くなるとともに、螺旋体１７４の各螺旋部の螺旋勾配は、回転軸１７３の軸長が長い程、急勾配になる。
【００８０】
一方、包囲壁１５１ｃ内の案内路部Ｒの上面は、螺旋部材１７０ｂの回転軸１７３の軸方向に対し直角、換言すれば、水平面である。従って、螺旋体１７４の各螺旋部の案内路部Ｒの上面に対する螺旋角度は、各螺旋部の螺旋勾配が急勾配である程、急な角度となる。
【００８１】
これでは、包囲壁１５１ｃ内の案内路部Ｒの上面に沿いカム１５０ｃにより案内される遊技球が螺旋体１７４の最下端の螺旋部に達したとき、当該遊技球は、最下端の螺旋部の上面と衝突してしまい当該螺旋部の上面に沿い円滑に移動することが困難である。換言すれば、螺旋部材１７０ｂによる案内路部Ｒからの遊技球の受け取りが困難となって、軸状揚送部材１７０による遊技球の揚送を良好に行うことが困難となる。
【００８２】
また、上述のように、螺旋体１７４の各螺旋部の螺旋勾配が急勾配である程、また、螺旋部のピッチ間隔が広い程、軸状揚送部材１７０による遊技球に対する揚送速度が高くなる。従って、螺旋部材１７０ｂの最上端の螺旋部からその螺旋方向に向けて排出される遊技球の速度は、螺旋部材１７０ｂの遊技球に対する揚送速度が高い程、高くなる。
【００８３】
これでは、螺旋部材１７０ｂの最上端の螺旋部に達した遊技球を上記球送り装置に対し適正には供給することができず、当該球送り装置の球送り作動が円滑にはなされ得ない。このことは、球発射装置１４０による遊技球の発射が円滑にはなされ得ないことを意味する。
【００８４】
そこで、本実施形態においては、上述したごとく、最下端螺旋部１７４ａ及び最上端螺旋部１７４ｂの各螺旋勾配を、各中間螺旋部１７４ｃの所定の中間螺旋勾配に比べて、緩やかな所定の緩螺旋勾配とした。ここで、最下端螺旋部１７４ａにおける所定の緩螺旋勾配とは、遊技球が、最下端の螺旋部の上面と衝突することなく当該螺旋部の上面に沿い円滑に移動し得るような緩やかな螺旋勾配をいう。これによれば、最下端螺旋部１７４ａの螺旋勾配を上記所定の緩螺旋勾配とすることで、包囲壁１５１ｃ内の案内路部Ｒの上面から最下端螺旋部１７４ａ上への遊技球の進入を円滑にすることができる。
【００８５】
また、最上端螺旋部１７４ｂの螺旋勾配を、上述のごとく、上記所定の緩螺旋勾配とした。ここで、最上端螺旋部１７４ｂにおける所定の緩螺旋勾配とは、遊技球が螺旋体１７４から最上端螺旋部１７４ｂにより上方へ押されて縦断面楔状突出部１６４の斜面１６４ｂに達する速度を良好に緩和し得る螺旋勾配をいう。
【００８６】
これにより、遊技球を、当該最上端螺旋部１７４ｂの上面から筒状通路部材１６０の縦断面楔状突出部１６４の斜面１６４ｂへの案内を円滑にすることができる。換言すれば、螺旋体１７４は、その最上端螺旋部１７４ｂにて、縦断面楔状突出部１６４と相まって、遊技球を、筒状通路部材１６０の上端開口部１６２ａを介し円滑にかつ安全に外方へ排出することができる。なお、各中間螺旋部１７４ｃの螺旋勾配は、上述のごとく、上記所定の緩螺旋勾配よりも大きいことから、螺旋部材１７０ｂによる最下端螺旋部１７４ａ及び最上端螺旋部１７４ｂの間の遊技球に対する揚送速度は、上述のごとく、高く維持することができる。
【００８７】
また、本実施形態では、上記球送り装置が、その球導入壁１６６の球導入口部（図示しない）にて、図１０にて示すごとく、球通路１６５を介し、筒状通路部材１６０の上端開口部１６２ａに対向している。なお、球通路１６５は、遊技盤１２０の左上隅角部に位置する球発射装置１４０の基板１４１の後側にて上記球送り装置の球導入壁１６６と揚送装置Ｕの筒状通路部材１６０の上端開口部１６２ａとの間に介装されている。
【００８８】
これにより、揚送装置Ｕの筒状通路部材１６０からその上端開口部１６２ａを介し排出される遊技球は、球通路１６５を通り、上記球送り装置内にその球導入口部を介し導入される。
【００８９】
従って、上記球送り装置は、その導入遊技球を順次球送り口部（図示しない）から球発射装置１４０の基板１４１に形成した開口部１４１ａ（図３参照）を通して発射レール１４２上に球送りするようになっている。
【００９０】
前扉１００ｃは、前枠ともいわれるもので、当該前扉１００ｃは、図１にて示すごとく、遊技盤本体１００ｂ及び機枠１００ａに対し前後方向に開閉可能に支持されている。
【００９１】
当該前扉１００ｃは、窓枠１８０及びガラス板１９０を備えている。窓枠１８０は、その左縁上下両側端部にて、遊技機本体１００ｂの本体枠１１０及び機枠１００ａの各左側縁部に前後方向に回動可能に支持されている。このことは、前扉１００ｃが、その左縁部にて、本体枠１１０及び機枠１００ａの各左縁部に前後方向に開閉可能にヒンジ連結されていることを意味する。
【００９２】
ここで、窓枠１８０の左縁上側端部の各上側ヒンジ１２１、１１１に対する回動可能な支持及び窓枠１８０の左縁下側端部の中側ヒンジ１１３に対する回動可能な支持は、次のようにしてなされている。
【００９３】
また、前扉１００ｃは、図１或いは図２にて示すごとく、演出用ボタンスイッチ装置ＰＢを備えており、当該演出用ボタンスイッチ装置ＰＢは、前扉１００ｃの窓枠１８０の左下隅角部に装着されている。
【００９４】
ここで、当該演出用ボタンスイッチ装置ＰＢは、遊技者の遊技中において操作し易い位置に位置している。本実施形態では、演出用ボタンスイッチ装置ＰＢは、例えば、単調になりがちなパチンコ遊技機による遊技において、遊技者を飽きさせないようにする演出するためのチャンスボタンスイッチ装置としての役割を果たす。
【００９５】
当該ボタンスイッチ装置ＰＢは、その接続端子にて、配線（図示しない）を介し遊技制御装置（図示しない）に接続されており、当該ボタンスイッチ装置ＰＢは、その押しボタンを押動操作することで、操作出力を発生して、後述のごとく、上記遊技制御装置に出力する。なお、当該遊技制御装置は、遊技盤１２０にその後側から取り付けられている。
【００９６】
本実施形態では、当該ボタンスイッチ装置ＰＢの押しボタンの押動操作は、液晶表示装置１３３において遊技中のキャラクター等の会話（例えば、大当たりへの期待度を表す会話）を演出表示させて遊技を盛り上げたり、確変大当たりが成立しているとき単発の大当たりとして表示させておきボーナスゲーム中に「確変の昇格した」と見せかける演出を行うときになされる。
【００９７】
また、前扉１００ｃは、図１或いは図２にて示すごとく、左右両側音声光演出装置ＳＬＤを備えており、当該左右両側音声光演出装置ＳＬＤは、前扉１００ｃの前枠１８０の左右両上側隅角部内に組み付けられている。
【００９８】
当該左右両側音声光演出装置ＳＬＤは、それぞれ、スピーカ等の音声発生器からなる音声演出装置と、発光ダイオード等の光源からなる光演出装置でもって構成されている。当該左右両側音声光演出装置ＳＬＤは、その各接続端子にて、配線（図示しない）を介し、上記遊技制御装置に接続されており、当該左右両側音声光演出装置ＳＬＤは、上記遊技制御装置からの制御出力を受けて、音声演出及び光演出を行う。
【００９９】
球貸し処理装置２００は、図１及び図２のいずれかにて示すごとく、パチンコ遊技機１００の左側にてこのパチンコ遊技機１００に沿い付設されている。
【０１００】
当該球貸し処理装置２００は、遊技価値記録媒体処理装置或いはカードユニットといわれるものであって、この球貸し処理装置２００は、装置本体２００ａと、操作表示回動部材２００ｂとにより構成されている。
【０１０１】
装置本体２００ａは、その前部にて、パチンコ遊技機１００の前扉１００ｃの左縁前部に左右に並んで隣接するように、パチンコ遊技機１００に付設されている。この装置本体２００ａは、両挿入部２１０ａ、２１０ｂを有しており、当該両挿入部２１０ａ、２１０ｂは、装置本体２００ａの前方へ開口するように当該装置本体２００ａにその前部側から形成されている。本実施形態において、挿入部２１０ａは、プリペイドカードであるＩＣカードを挿入するためのものであり、一方、挿入部２１０ｂは、現金を挿入するためのものである。なお、当該装置本体２００ａは、マイクロコンピュータにより、図示しないフローチャートに従いカード処理プログラムを実行するようになっている。
【０１０２】
操作表示回動部材２００ｂは、本体枠１１０の下板部１１０ｂ或いは装置本体２００ａの前下側切り欠き部２１１及び本体枠１１０の下板部１１０ｂの双方を開放可能とするように、構成されている。なお、装置本体２００ａの前下側切り欠き部２１１は、当該装置本体２００ａの前側下部を後方へコ字状に切り欠くことで形成されている。
【０１０３】
当該操作表示回動部材２００ｂは、一側及び他側の回動部２３０、２４０及びタッチパネル部２５０を備えている。一側回動部２３０は、その回動基端部にて、装置本体２００ａの前下側切り欠き部２１１の左側部位内にて前後方向に回動可能に支持されており、当該一側回動部２３０は、その回動基端部から他側回動部２４０側へ延出している。なお、当該一側回動部２３０のその回動基端部からの延出長さは、装置本体２００ａの前側下部の左右方向幅に対応する。
【０１０４】
他側回動部２４０は、その回動基端部にて、一側回動部２３０の延出端部に前後方向に相対回動可能となるように連結されており、当該他側回動部２４０は、その回動基端部から延出している。
【０１０５】
ここで、当該他側回動部２４０は、本体枠１１０の下板部１１０ｂのうちハンドル１５０に対する対応部位を除くように、Ｌ字状に形成されている。また、他側回動部２４０は、機枠１００ａの左側縁部に対応する上下方向幅を有する。
【０１０６】
このように構成した操作表示回動部材２００ｂは、他側回動部２４０にて、遊技機本体１００ｂ及び前扉１００ｃと同軸的にかつ回動可能に支持されている。
【０１０７】
タッチパネル部２５０は、図１にて示すごとく、他側回動部２４０の収容部２４１の開口部２４１ａ内に嵌装されており、当該タッチパネル部２５０は、操作部及び表示部としての役割を果たす。
【０１０８】
ここで、収容部２４１は、他側回動部２４０の中間部位から前方へ箱状に突出形成されており、当該収容部２４１の開口部２４１ａは、前側上方へ傾斜状に対向している。これに伴い、タッチパネル部２５０は、その表示面にて、開口部２４１ａ内にて前側上方へ傾斜状に対向する。これにより、タッチパネル部２５０は、パチンコ遊技機１０の前側にて椅子（図示しない）に着座した遊技者により視認され易くかつ操作され易い位置に維持される。
【０１０９】
ここで、当該タッチパネル部２５０は、パチンコ遊技機１００による遊技を終了するとき押動操作される遊技終了ボタン部（図示しない）及び球貸し処理装置２００の挿入部２１０ａに挿入済みのＩＣカードを当該挿入部２１０ａから排出するとき押動操作されるカード排出ボタン部（図示しない）を有する。なお、回動部材２００ｂは、他側回動部２４０の延出端部にて、本体枠１１０の下板部１１０ｂの右端部に図示しない他の施錠機構（図示しない）により施錠可能となっている。
【０１１０】
以上のように構成した本第１実施形態において、球貸し処理装置２００が、図１及び図２にて示す位置にあるものとする。
【０１１１】
このとき、操作表示回動部材２００ｂは、装置本体２００ａに対し直角に位置するように、当該装置本体２００ａの前下側切り欠き部２１１から右方へ延出している。これにより、当該操作表示回動部材２００ｂは、装置本体２００ａの前下側切り欠き部２１１及び遊技機本体１００ｂの本体枠１２０の前側下部（下側枠板１２０ｄ）にその前側から沿うように位置している。
【０１１２】
このような状態にあっては、操作表示回動部材２００ｂの一側回動部２３０が、装置本体２００ａの前下側切り欠き部２１１内に位置して閉じた状態にある。また、他側回動部２４０が、本体枠１２０の前側下部に沿うように位置して閉じた状態にある。
【０１１３】
このとき、揚送装置Ｕの駆動装置１５０の駆動機構１５０ｂにおいては、電動機Ｍが回転し、平歯車１５２が、電動機Ｍの回転軸に支持してあるピニオンとの噛合のもとに、電動機Ｍの回転に伴い回転し、カム１５０ｃが、平歯車１５２に連動して正転し、軸状揚送部材１７０における歯車部材１７０ａが、そのピニオン１７２の平歯車１５２との噛合のもとに、当該平歯車１５２に連動して回転し、螺旋部材１７０ｂが、歯車部材１７０ａと一体的に正転している状態にあるものとする。
【０１１４】
現段階において、遊技者が遊技台設備Ａの遊技機１００による遊技状態にあるものとする。このような状態において、遊技球が、遊技盤１２０の遊技領域１２１ａに沿い転動して、順次、遊技盤１２０のアウト口１２１ｂから球排出部材１２０ａを通り落下すると、当該遊技球は、順次、球誘導部材１２１ｃにより誘導されてその内部を転動して揚送装置Ｕの駆動装置１５０に向けて移動する。なお、球誘導部材１２１ｃにより誘導される遊技球は、当該遊技機１００において遊技中に払い出された遊技球であってもよい。
【０１１５】
このように遊技球が、順次、駆動装置１５０に向けて移動すると、当該遊技球は、駆動装置１５０におけるケーシング１５０ａの球誘導通路１５１ａ内にその外端開口部ａから進入して当該球誘導通路１５１ａの内部を通りその内端開口部ｂに向けてＳ字状に移動する。
【０１１６】
しかして、球誘導通路１５１ａの内端開口部ｂに達した遊技球は、カム１５０ｃにより、その正転に伴い、その切り欠き部１５４にて、基体１５１の包囲壁１５１ｃの円弧状壁部ｄ１内にその切り欠き開口部ｄ３から取り込まれて進入し、順次、案内路部Ｒの上面に沿い筒状通路部材１６０及び軸状揚送部材１７０側に向けて案内される。このように案内される遊技球は、軸状揚送部材１７０により筒状通路部材１６０内にその下端開口部１６１から押し上げられて筒状通路部材１６０の内部に沿い上方へ案内されていく。
【０１１７】
ここで、以上のような過程を詳細に説明する。カム１５０ｃが、図４にて示す回転位置にあるとすれば、球誘導通路１５１ａの内端開口部ｂを通り円弧状壁部ｄ１内にその切り欠き開口部ｄ３から進入する遊技球（図４にて符号Ｐ１参照）は、カム１５０ｃによりその切り欠き部１５４内に受承される。
【０１１８】
このとき、カム１５０ｃの周壁（切り欠き部１５４を除く）と包囲壁１５１ｃの円弧状壁部ｄ１の円弧状壁部ｄ２及び球誘導通路１５１ａの内端開口部ｂの間の壁部位との間隔が遊技球の外径よりも狭いことから、当該遊技球に後続して球誘導通路１５１ａの内端開口部ｂに達する遊技球が円弧状壁部ｄ１の切り欠き開口部ｄ３を介して案内路部Ｒの上面に進入することはない（図１３参照）。このことは、カム１５０ｃが、その一回転ごとに、切り欠き部１５４にて、遊技球を案内路部Ｒ上に沿い案内することを意味する。
【０１１９】
上述のように案内路部Ｒの上面に進入した遊技球Ｐ１は、カム１５０ｃのさらなる正転に伴い、図１１及び図１２にて示すごとく、案内路部Ｒの上面に沿い案内され、ついで、図１３及び図１４にて示すごとく、案内路部Ｒの上面に沿い案内され、螺旋部材１７０ｂの下部に接近する。このとき、遊技球Ｐ１は、案内路部Ｒの上面にて、筒状通路部材１６０の下端開口部１６１及び螺旋部材１７０ｂの螺旋体１７４の最下端螺旋部１７４ａの近傍に位置している（図１３及び図１４参照）。
【０１２０】
然る後、カム１５０ｃがさらに正転すると、遊技球Ｐ１が、図１５〜図１７から分かるように、カム１５０ｃにより案内路部Ｒの上面から螺旋体１７４の最下端螺旋部１７４ａ上に案内される。
【０１２１】
このとき、遊技球Ｐ１は、カム１５０ｃにより案内路部Ｒの上面に沿い包囲壁１５１ｃの境界壁部ｄ４の内面に向けて案内された後、当該境界壁部ｄ４の内面に沿うようにして螺旋体１７４の最下端螺旋部１７４ａ上に乗るように案内される。これに伴い、遊技球Ｐ１が、螺旋体１７４の最下端螺旋部１７４ａ上にて、筒状通路部材１６０の下端開口部１６１の直下に位置するようになる。
【０１２２】
すると、軸状螺旋部材１７０ｂが上述のごとく正転状態にあることから最下端螺旋部１７４ａ上に案内された遊技球Ｐ１は、図１８〜図２０から分かるように、螺旋体１７４により最下端螺旋部１７４ａから上方へ押し上げられて筒状通路部材１６０内にその下端開口部１６１を通り進入する。
【０１２３】
ここで、ピニオン１７２の歯数が、上述のごとく、平歯車１５２の歯数の１／３となるように設定されているために、平歯車１５２の回転速度が軸状螺旋部材１７０ｂの回転速度の３倍になる。このことは、軸状螺旋部材１７０ｂによる遊技球の揚送速度（即ち螺旋体１７４の各中間螺旋部による遊技球の揚送速度）が、平歯車１５２の回転速度（換言すれば、平歯車１５２と同軸的に支持されているカム１５０ｃの回転速度）が高い程高いことを意味する。
【０１２４】
このようにカム１５０ｃの回転速度が高いために、案内路部Ｒの上面に沿いカム１５０ｃにより案内される遊技球Ｐ１の速度が高くても、螺旋体１７４の最下端螺旋部１７４ａの螺旋勾配が、上述のように、上記所定の中間螺旋勾配よりも緩やかな上記所定の緩螺旋勾配に設定されていることから、遊技球Ｐ１が、軸状螺旋部材１７０ｂの正転に応じて、螺旋体１７４の最下端螺旋部１７４ａの上面に乗る速度や当該最下端螺旋部１７４ａの上面に沿い揚送される速度は、螺旋体１７４の中間螺旋部１７４ｃの上面に沿い揚送される速度に比べて、かなり低い。このため、遊技球Ｐ１は、最下端螺旋部１７４ａの上面に衝突することなく当該上面に円滑に乗って揚送されて中間螺旋部１７４ｃの上面に移動していくことができる。
【０１２５】
然る後、遊技球Ｐ１は、軸状螺旋部材１７０ｂの正転のもと、図２１〜図２３から分かるように、螺旋体１７４によりその最下端螺旋部１７４ａから上方へ螺旋状に揚送される。このことは、遊技球Ｐ１は、螺旋体１７４により筒状通路部材１６０の横断面コ字状球案内部１６０ｂの内部に沿い上方へ揚送されることを意味する。
【０１２６】
このような揚送に伴い、遊技球Ｐ１が、図６、図７及び図１０から分かるように、螺旋体１７４によりその最下端螺旋部１７４ａから各中間螺旋部１７４ｃを介し最上端螺旋部１７４ｂの上面に達した後、当該遊技球Ｐ１は、軸状螺旋部材１７０ｂの正転のもと、当該最上端螺旋部１７４ｂの上面から横断面コ字状球案内部１６０ｂの上記奥側対向側壁部１６２ｃ及び筒状通路部材１６０の縦断面楔状突出部１６４の斜面１６４ｂにより筒状通路部材１６０の横断面コ字状球案内部１６０ｂの上端開口部１６２ａに向けて案内されて当該上端開口部１６２ａから球通路１６５を通り上記球送り装置の上記球導入口に向けて排出される。
【０１２７】
ここで、歯車部材１７０ａのピニオン１７２の歯数が、上述のごとく、平歯車１５２の歯数の１／３となるように設定されているために、平歯車１５２の回転速度が軸状螺旋部材１７０ｂの回転速度の３倍になる。このことは、軸状螺旋部材１７０ｂによる遊技球の揚送速度（即ち螺旋体１７４の各中間螺旋部による遊技球の揚送速度）は、平歯車１５２の回転速度が高い程高いことを意味する。
【０１２８】
このように、螺旋体１７４の各中間螺旋部による遊技球の揚送速度が高くても、螺旋体１７４の最上端螺旋部１７４ｂの螺旋勾配が、上述のごとく、各中間螺旋部１７４ｃの上記所定の中間螺旋勾配に比べて、緩やかな上記所定の緩螺旋勾配となるように、設定されていることから、遊技球Ｐ１が、軸状螺旋部材１７０ｂの回転に応じて、螺旋体１７４の最上端螺旋部１７４ｂの上面に沿い上述のように排出方向へ移動される速度は、螺旋体１７４の中間螺旋部１７４ｃの上面に沿い揚送される速度に比べて、かなり低い。
【０１２９】
このため、遊技球Ｐ１は、最上端螺旋部１７４ｂの上面に衝突することなく、当該最上端螺旋部１７４ｂにその下側から隣接する螺旋部１７４ｃから最上端螺旋部１７４ｂの上面に円滑に乗って当該上面に沿い円滑に揚送されて、縦断面楔状突出部１６４の斜面１６４ｂを介し筒状通路部材１６０の横断面コ字状球案内部１６０ｂの上端開口部１６２ａから球通路１６５を通り上記球送り装置の球導入口に向けて円滑に排出され得る。
【０１３０】
このとき、上述のごとく、遊技球が螺旋部１７４ｃにより最上端螺旋部１７４ｂから押し出される方向は、横断面コ字状球案内部１６０ｂの上端開口部１６２ａの開口方向ではなく、当該横断面コ字状球案内部１６０ｂの上記奥側対向壁部１６２ｂの内面に向いているが、上述のように押し出された遊技球は、縦断面楔状突出部１６４によりその斜面１６４ｂでもって上端開口部１６２ａに向けて排出されるように方向転換される。これに伴い、遊技球の速度は、上記方向転換でもってさらに緩和される。
【０１３１】
従って、遊技球は、最上端螺旋部１７４ｂ及び縦断面楔状突出部１６４の双方により、より一層、緩和された速度にて良好に上端開口部１６２ａから排出され得る。
【０１３２】
このように排出される遊技球Ｐ１は、上記球送り装置によりその支持基板１４１の開口部１４１ａから発射レール１４２上に送られると、当該遊技球Ｐ１は、球発射装置１４０により発射レール１４２上に沿い発射される。このように発射される遊技球Ｐ１は、遊技盤１２０の盤面１２１の遊技領域１２１ａに沿い転動していく。
【０１３３】
なお、当該遊技中において、回動部材２００ｂのタッチパネル部２５０が、遊技制御装置（図示しない）による制御のもとに、遊技者の遊技に起因して生ずる遊技情報を表示すれば、当該タッチパネル部２５０は、遊技者の正面に位置しているため、遊技者はタッチパネル部２５０の表示遊技情報を視認し易く、容易に視認することができる。
【０１３４】
従って、遊技者はタッチパネル部２５０の表示遊技情報に基づき必要な遊技処理を良好に行うことができる。その結果、遊技者のタッチパネル部２５０に対する視認環境を見易い良好な視認環境として確保することができる。
【０１３５】
また、上述のように遊技者が遊技台設備Ａの遊技機１００による遊技を行っている間に、例えば、上述のようなタッチパネル部２５０の表示遊技情報に基づきタッチパネル部２５０の操作が必要となった場合には、当該タッチパネル部２５０は、上述のように遊技者の正面に位置しているため、遊技者はタッチパネル部２５０を操作し易く、容易に必要な操作をすることができる。
【０１３６】
以上説明したように、本第１実施形態によれば、上述したごとく、遊技球Ｐ１が案内路部Ｒの上面に沿いカム１５０ｃにより案内される速度が高くても、螺旋体１７４の最下端螺旋部１７４ａの螺旋勾配が、上述のように、上記所定の中間螺旋勾配よりも緩やかな上記所定の緩螺旋勾配に設定されていることから、遊技球Ｐ１が、軸状螺旋部材１７０ｂの回転に応じて、螺旋体１７４の最下端螺旋部１７４ａの上面に沿い揚送される速度は、螺旋体１７４の中間螺旋部１７４ｃの上面に沿い揚送される速度に比べて、かなり低い。このため、遊技球Ｐ１は、最下端螺旋部１７４ａの上面に衝突したり球噛みしたりすることなく当該上面に円滑に乗って揚送されて中間螺旋部１７４ｃの上面に移動していくことができる。
【０１３７】
また、上述したごとく、遊技球Ｐ１が案内路部Ｒの上面に沿いカム１５０ｃにより案内される速度が高くても、螺旋体１７４の最上端螺旋部１７４ｂの螺旋勾配が、上述のごとく、各中間螺旋部１７４ｃの上記所定の中間螺旋勾配に比べて、緩やかな上記所定の緩螺旋勾配となるように、設定されているとともに、縦断面楔状突出部１６４が、上記構成にて、上壁部１６３のうち横断面コ字状球案内部１６０ｂに対応する壁部位から下方に向け突出形成されている。
【０１３８】
従って、螺旋体１７４によりその最上端螺旋部１７４ｂによりその所定の緩螺旋勾配のもとに緩やかに押し出された遊技球（最上端螺旋部１７４ｂによる遊技球の押し出し位置に対応する回転軸１７３の外周面部の接線方向に押し出された遊技球）は、縦断面楔状突出部１６４によりその斜面１６４ｂでもって上端開口部１６２ａに向けて排出されるように方向転換されることで、さらに緩やかな速度となって良好に上端開口部１６２ａから排出され得る。
【０１３９】
換言すれば、遊技球Ｐ１が、軸状螺旋部材１７０ｂの正転に応じて、上述のように螺旋体１７４の最上端螺旋部１７４ｂの上面に乗って排出方向へ移動される速度は、螺旋体１７４の中間螺旋部１７４ｃの上面に沿い揚送される速度に比べて、かなり低い。このため、遊技球Ｐ１は、最上端螺旋部１７４ｂの上面に衝突することなく当該上面に円滑に乗って移動され、縦断面楔状突出部１６４によりその斜面１６４ｂでもってさらに方向転換されて緩やかに筒状通路部材１６０の横断面コ字状球案内部１６０ｂの上端開口部１６２ａから球通路１６５を通り上記球送り装置の球導入口に向けて円滑にかつ安全に排出され得る。
（第２実施形態）
図２４〜図２６は、本発明の第２実施形態の要部を示している。当該第２実施形態では、上記第１実施形態にて述べた駆動装置１５０が、そのケーシング１５０ａにて、上記第１実施形態とは異なり、次のように形成されている。
【０１４０】
即ち、ケーシング１５０ａにおいて、基体１５１が、図２４及び図２５にて示すごとく、案内傾斜部Ｒ１を有しており、当該案内傾斜部Ｒ１は、案内路部Ｒの延出端近傍部位から境界壁部ｄ４の上下方向中間部位に亘り、包囲壁１５１ｃの境界壁部ｄ４の下端隅角部に形成されている。
【０１４１】
ここで、当該案内傾斜部Ｒ１は、その傾斜面部Ｒ１ａにて、図２５にて示すごとく、案内路部Ｒの延出端近傍部位の上面部から境界壁部ｄ４の上下方向中間部位の内面部にかけて傾斜状に形成されている。これにより、当該案内傾斜部Ｒ１は、案内路部Ｒの上面に沿いカム１５０ｃによりその切り欠き部１５４にて案内される遊技球を、傾斜面部Ｒ１ａに沿い斜め上方に円滑に案内して螺旋部材１７０ｂの螺旋体１７４の各螺旋部のうち後述する最下端螺旋部１７４ｄ（図２６参照）上に円滑に乗せる役割を果たす。
【０１４２】
上記第１実施形態にて述べた螺旋部材１７０ｂにおいて、螺旋体１７４は、図２５或いは図２６にて示すごとく、上記第１実施形態にて述べた最下端螺旋部１７４ａに代えて、最下端螺旋部１７４ｄを有する。当該最下端螺旋部１７４ｄは、最下端螺旋部１７４ａとは異なり、上記第１実施形態にて述べた中間螺旋部１７４ｃの所定の中間螺旋勾配と同一の螺旋勾配でもっと形成されている。
【０１４３】
従って、本第２実施形態における螺旋部材１７０ｂの螺旋体１７４は、最下端螺旋部１７４ｄ、上記第１実施形態にて述べた各中間螺旋部１７４ｃ及び上記第実施形態にて述べた最上端螺旋部１７４ｂでもって、上記第１実施形態にて述べた回転軸１７３に沿い螺旋状に形成されている。その他の構成は、上記第１実施形態と同様である。
【０１４４】
このように構成した本第２実施形態において、上記第１実施形態と同様に、遊技球Ｐ１が、図２４にて示すごとく、カム１５０ｃにより案内路部Ｒの上面から螺旋体１７４の最下端螺旋部１７４ｄ上に案内される。
【０１４５】
このとき、遊技球Ｐ１は、カム１５０ｃにより案内路部Ｒの上面に沿い包囲壁１５１ｃの境界壁部ｄ４の内面に向けて案内される。ここで、上述のごとく、案内傾斜部Ｒ１が、案内路部Ｒの延出端近傍部位から境界壁部ｄ４の上下方向中間部位に亘り、包囲壁１５１ｃの境界壁部ｄ４の下端隅角部に形成されている。
【０１４６】
このため、上述のごとく、遊技球Ｐ１が、境界壁部ｄ４の内面に向けて案内されると、当該遊技球Ｐ１は、カム１５０ｃにより案内傾斜部Ｒ１の傾斜面部Ｒ１ａ上に沿うように押し上げられて螺旋体１７４の最下端螺旋部１７４ｄ上に乗るように案内される。これに伴い、遊技球Ｐ１が、螺旋体１７４の最下端螺旋部１７４ｄ上にて、筒状通路部材１６０の下端開口部１６１の直下に位置するようになる。
【０１４７】
すると、上記第１実施形態と同様に軸状螺旋部材１７０ｂの正転状態にあることから、最下端螺旋部１７４ｄ上に案内された遊技球Ｐ１は、螺旋体１７４により最下端螺旋部１７４ｄから上方へ押し上げられて筒状通路部材１６０内にその下端開口部１６１を通り進入する。
【０１４８】
然る後、遊技球Ｐ１は、軸状螺旋部材１７０ｂの正転のもと、螺旋体１７４によりその最下端螺旋部１７４ｄから上方へ螺旋状に揚送される。このことは、遊技球Ｐ１は、螺旋体１７４により筒状通路部材１６０の横断面コ字状球案内部１６０ｂの内部に沿い上方へ揚送されることを意味する。
【０１４９】
以上説明したように、本第２実施形態では、案内傾斜部Ｒ１が、その傾斜面部Ｒ１ａにて、案内路部Ｒの延出端近傍部位の上面部から境界壁部ｄ４の上下方向中間部位の内面部にかけて傾斜状に形成されている。このため、螺旋体１７４の最下端螺旋部１７４ｄの螺旋勾配が中間螺旋部１７４ｃの所定の中間螺旋勾配と同一の螺旋勾配でもっと形成されていても、カム１５０ｃにより案内路部Ｒ上に沿い案内される遊技球は、案内傾斜部Ｒ１でもって、その傾斜面部Ｒ１ａにて螺旋部材１７０ｂの螺旋体１７４の最下端螺旋部１７４ｄ上に円滑に案内され得る。その他の作用効果は、上記第１実施形態と同様である。
(第３実施形態）
図２７及び時２８は、本発明の第３実施形態を示している。当該第３実施形態では、上記第１実施形態にて述べた筒状通路部材１６０において、横断面コ字状球案内部１６０ｂが、上端開口部１６２ａに代えて、上端開口部１６２ｃを有する。
【０１５０】
当該上端開口部１６２ｃは、横断面コ字状球案内部１６０ｂにおける連結壁部１６２ではなく、両対向側壁部１６２ｂの一方の対向側壁部１６２ｂの上端部に開口形成されている。本実施形態では、当該上端開口部１６２ｃは、螺旋体１７４の最上端螺旋部１７４ｂによる遊技球の押し出し位置に対応する回転軸１７３の外周面部の接線方向に向けて開口するように形成されている。なお、当該上端開口部１６２ｃの開口形状は、遊技球の外形形状よりも幾分大きい。また、当該一方の対向側壁部１６２ｂは、遊技球が螺旋部材１７０ｂの正転に伴い螺旋体１７４の最上端螺旋部１７４ｂにより押し出される方向（上述した回転軸１７３の外周面部の接線方向）に位置する。
【０１５１】
また、本第３実施形態において、上記第１実施形態にて述べた縦断面楔状突出部１６４は、廃止されている。これは、上述のごとく、螺旋体１７４の最上端螺旋部１７４ｂの螺旋勾配が所定の緩螺旋勾配となっていること及び上端開口部１６２ｃが、最上端螺旋部１７４ｂが遊技球を押し出す方向に位置するため、上記第１実施形態にて述べたような縦断面楔状突出部１６４による方向転換による速度緩和しなくても、遊技球に対する最上端螺旋部１７４ｂの押し出し速度が実質的に良好に緩和されるためである。
【０１５２】
また、本第３実施形態では、上述のように一方の対向側壁部１６２ｂの上端部に上端開口部１６２ｃを形成することに伴い、筒状通路部材１６０は、上記一方の対向側壁部１６２ｂの上端開口部１６２ｃにて、上記球送り装置の球導入口部内に連通するように球発射装置１４０の基板１４１の後側にて上記球送り装置を介し配設されている。その他の構成は上記第１実施形態と同様である。
【０１５３】
このように構成した本第３実施形態において、軸状螺旋部材１７０ｂの正転のもと、遊技球Ｐ１が、上記第１実施形態と同様に、螺旋体１７４によりその最下端螺旋部１７４ａから各中間螺旋部１７４ｃを介し最上端螺旋部１７４ｂの上面に達すると、当該遊技球Ｐ１は、当該最上端螺旋部１７４ｂにより横断面コ字状球案内部１６０ｂの上記一方の対向側壁部１６２ｂの上端開口部１６２ｃに向けて押し出されて当該上端開口部１６２ｃから球通路１６５を通り上記球送り装置の球導入口に向けて排出される。
【０１５４】
ここで、軸状螺旋部材１７０ｂの正転のもと、最上端螺旋部１７４ｂにより押し出される速度は、上述した最上端螺旋部１７４ｂの所定の揺螺旋勾配のもと緩和されている。従って、これによっても、上記第１実施形態と同様に、軸状螺旋部材１７０ｂから上記球送り装置への排出を円滑にかつ安全に行うことができる。
【０１５５】
上述のように排出される遊技球Ｐ１は、上記球送り装置によりその支持基板１４１の開口部１４１ａから発射レール１４２上に送られると、当該遊技球Ｐ１は、球発射装置１４０により発射レール１４２上に沿い発射される。このように発射される遊技球Ｐ１は、遊技盤１２０の盤面１２１の遊技領域１２１ａに沿い転動していく。その他の作用効果は、上記第１実施形態と同様である。
（第４実施形態）
図３１〜図３３は、本発明の第４実施形態の要部を示している。当該第４実施形態は、螺旋部材１７０ｂの螺旋体１７４の最下端螺旋部の螺旋勾配を、上記第１実施形態にて述べたように所定の緩螺旋勾配とすることなく、上記第１実施形態にて述べた中間螺旋部１７４ｃの所定の中間螺旋勾配と同一にしたまま、上記第１実施形態にて述べた案内路部Ｒから上記最下端螺旋部への遊技球の案内速度を減速することで、案内路部Ｒから上記最下端螺旋部への遊技球の案内を円滑にしようとするものである。
【０１５６】
このようなことを前提として、当該第４実施形態では、上記第１実施形態にて述べた螺旋部材１７０ｂにおいて、螺旋体１７４が、上記第２実施形態と同様に、当該第２実施形態にて述べた最下端螺旋部１７４ｄ、上記第１実施形態にて述べた各中間螺旋部１７４ｃ及び上記第１実施形態にて述べた最上端螺旋部１７４ｂでもって、上記第１実施形態にて述べた回転軸１７３に沿い螺旋状に形成されている（図３０或いは図３１参照）。
【０１５７】
また、本第４実施形態では、上記第１実施形態にて述べた駆動機構１５０ｂを制御するための制御装置（図２９参照）が採用されており、当該制御装置は、図２９にて示すごとく、光センサＬＳ、マイクロコンピュータＰＣ及び駆動回路ＤＲを備えている。
【０１５８】
光センサＬＳは、フォトインタラプタからなるもので、当該光センサＬＳは、発光素子（図示しない）及び受光素子ＬＳ１（図３２参照）でもって構成されている。ここで、受光素子ＬＳ１は、上記第１実施形態にて述べた筒状通路部材１６０における横断面コ字状球案内部１６０ｂの両対向側壁部１６２ｂの一方の対向側壁部１６２ｂの外面下端部に設けられている。一方、上記発光素子は、第１実施形態にて述べた基体１５１の筒部Ｖａの底面部上にて、カム１５０ｃの切り欠き部１５４を通して上記受光素子に対向し得るように設けられている。
【０１５９】
このように構成した光センサＬＳにおいて、上記発光素子は、遊技機１００による遊技状態において、常時発光状態にある。しかして、カム１５０ｃが、上記発光素子と受光素子ＬＳ１とを相互に遮断する回転位置にあるときには、受光素子ＬＳ１は、上記発光素子からの光から遮断されて、受光信号を発生しない。
【０１６０】
また、カム１５０ｃが、その切り欠き部１５４にて上記第１実施形態にて述べた球誘導通路１５１ａの内端開口部ｂから遊技球を取り込み可能なように当該内端開口部ｂに対向する位置に回転すると、受光素子ＬＳ１は、上記発光素子からカム１５０ｃの切り欠き部１５４を通して受光して受光信号を発生する。ついで、カム１５０ｃが、その切り欠き部１５４にて、球誘導通路１５１ａの内端開口部ｂから遊技球を取り込むと、当該遊技球は、上記発光素子からの光を受光素子ＬＳ１から遮断して、上述した受光素子ＬＳ１からの受光信号の発生を停止する。
【０１６１】
マイクロコンピュータＰＣは、所定の制御プログラムを図３３にて示すフローチャートに従い実行し、当該実行中において、光センサＬＳの出力に基づき、駆動回路ＤＲを介し、上記第１実施形態にて述べた駆動機構の電動機Ｍの駆動制御する処理を行う。なお、上記制御プログラムは、マイクロコンピュータＰＣのＲＯＭ（図示しない）に予め読み出し可能に記憶されている。
【０１６２】
駆動回路ＤＲは、マイクロコンピュータＰＣによる制御のもとに、電動機Ｍを駆動する。その他の構成は、上記第１実施形態と同様である。
【０１６３】
以上のように構成した本第４実施形態において、上記第１実施形態と同様に、遊技者が遊技機１００による遊技状態にあるものとする。このような状態にあっては、上記制御装置は作動状態にある。このため、マイクロコンピュータＰＣは、図３３のフローチャートに従い上記制御プログラムをステップＳ１にて初期化処理された後繰り返し実行している。
【０１６４】
このような状態において、上記制御プログラムがステップＳ２に達すると、当該ステップＳ２では、受光信号の発生か否かが判定される。現段階において、回転中にあるカム１５０ｃが、その切り欠き部１５４以外の部位にて、光センサＬＳの発光素子の光を受光素子ＬＳ１から遮断した状態にあれば、受光素子ＬＳ１は受光信号の発生を停止している。このため、ステップＳ２においてＮＯとの判定を繰り返している。
【０１６５】
然る後、カム１５０ｃが、その切り欠き部１５４にて、球誘導通路１５１ａの内端開口部ｂに対向する位置まで回転すると、受光素子ＬＳ１が、上記発光素子から切り欠き部１５４を通して光を受光して受光信号を発生しマイクロコンピュータＰＣに出力する。このため、ステップＳ２において、ＹＥＳと判定される。
【０１６６】
すると、次のステップＳ３において、受光信号の発生停止か否かが判定される。現段階において、遊技球がいまだカム１５０ｃの切り欠き部１５４内に取り込まれていなければ、受光素子ＬＳ１は受光信号を発生したままにあることから、ステップＳ３における判定はＮＯとなる。
【０１６７】
これに伴い、次のステップＳ４において、所定の待ち時間経過か否かが判定される。現段階では、上記所定の待ち時間は経過していないことから、ステップＳ４において、ＮＯと判定される。本第４実施形態において、上記所定の待ち時間は、球誘導通路１５１ａの内端開口部ｂ内の遊技球がカム１５０ｃの切り欠き部１５４内に取り込まれるに要する時間をいうが、当該時間は、カム１５０ｃが、その切り欠き部１５４にて、球誘導通路１５１ａの内端開口部ｂに対向する位置まで回転した時点からさらなる回転に伴い切り欠き部１５４の図４にて図示時計方向側縁部にて上記発光素子の光を受光素子ＬＳ１から遮断する位置まで回転するに要する時間よりも、通常、短い。
【０１６８】
しかして、両ステップＳ３、Ｓ４の循環処理中において、遊技球がカム１５０ｃの切り欠き部１５４内に取り込まれると、当該遊技球は、受光素子ＬＳ１を、上記発光素子の光から遮断する。このため、受光素子ＬＳ１は、上述のように発生中の受光信号の発生を停止する。これに伴い、ステップＳ３における判定はＹＥＳとなる。
【０１６９】
上述のように切り欠き部１５４内に取り込まれた遊技球は、カム１５０ｃにより案内路部Ｒに沿い上記第１実施形態と同様に案内される。
【０１７０】
一方、ステップＳ３におけるＹＥＳとの判定後、ステップＳ５において、所定の初期時間の経過か否かが判定される。ここで、当該所定の初期時間は、ステップＳ３におけるＹＥＳとの判定時、即ち、遊技球がカム１５０ｃの切り欠き部１５４内に取り込まれた時から遊技球が案内路部Ｒに沿い螺旋体１７４の最下端螺旋部１７４ｄの上面の最下端面部に達するに要する時間をいう。
【０１７１】
現段階では、カム１５０ｃの切り欠き部１５４内に取り込まれた遊技球は、いまだ、螺旋体１７４の最下端螺旋部１７４ｄの上面の最下端面部には到達していないことから、ステップＳ５における判定はＮＯとなる。
【０１７２】
しかして、ステップＳ５におけるＮＯとの判定の繰り返し中において、上記所定の初期時間が経過すると、ステップＳ５においてＹＥＳと判定される。このことは、カム１５０ｃの切り欠き部１５４内に取り込まれた遊技球が案内路部Ｒに沿い案内されて螺旋体１７４の最下端螺旋部１７４ｄの上面の最下端面部に達したことを意味する。
【０１７３】
このようにステップＳ５における判定がＹＥＳになると、次のステップＳ６において減速処理がなされる。この減速処理では、電動機Ｍの回転速度を所定の減速回転速度に減速する処理がなされる。ここで、上記所定の減速回転速度は、遊技球を案内路部Ｒから螺旋体１７４の最下端螺旋部１７４ｄの上面に円滑に乗せて中間螺旋部１７４ｃに揚送するに適した回転速度をいう。
【０１７４】
しかして、上述のように減速処理がなされると、電動機Ｍは、マイクロコンピュータＰＣによる制御のもとに、駆動回路ＤＲにより上記所定の減速回転速度にて減速回転するように駆動される。このため、電動機Ｍが上記所定の減速回転速度にて回転することにより、カム１５０ｃが、電動機Ｍの減速回転に応じて平歯車１５２を介し減速回転するとともに、歯車部材１７０が、ピニオン１７２の平歯車１５２との噛合のもとに、減速回転し、螺旋部材１７０ｂが、上記所定の減速回転速度及び上記第１実施形態にて述べた歯数比に応じた減速回転をする。
【０１７５】
このことは、螺旋体１７４の最下端螺旋部１７４ｄが、上記所定の減速回転速度及び上記第１実施形態にて述べた歯数比に応じた減速回転をすることを意味する。
【０１７６】
ステップＳ６の処理後次のステップＳ７において所定の螺旋揚送時間の経過か否かが判定される。ここで、上記所定の螺旋揚送時間は、螺旋体１７４の最下端螺旋部１７４ｄからこれに隣接する中間螺旋部１７４ｃに到達するに要する時間をいう。
【０１７７】
しかして、現段階では、いまだ所定の螺旋揚送時間は経過していないため、ステップＳ７においてＮＯと判定される。以後、両ステップＳ６、Ｓ７を循環する処理が繰り返される。
【０１７８】
このため、このような両ステップＳ６、Ｓ７の循環処理過程において、上述のように案内路部Ｒから最下端螺旋部１７４ｄの最下端部の上面部に達した遊技球は、螺旋体１７４の最下端螺旋部１７４ｄの上面に円滑に乗って中間螺旋部１７４ｃに向けて円滑に揚送され得る。なお、螺旋体１７４は、全体として、減速回転するが、螺旋体１７４のうち最下端螺旋部１７４ｄ以外の螺旋部に位置する遊技球があっても、当該遊技球は、螺旋体１７４の減速回転のため、下方へ落ちていくことなく、揚送されていく。
【０１７９】
然る後、上記所定の螺旋揚送時間が経過すると、ステップＳ７においてＹＥＳと判定される。これに伴い、ステップＳ８において減速駆動解除処理がなされるとともに、ステップＳ９において原速度駆動処理がなされる。このため、電動機Ｍは、上記所定の減速回転速度から解除されて原回転速度に復帰する。従って、カム１５０ｃ、歯車部材１７０ａ及び螺旋部材１７０ｂも同様に原回転速度に復帰する。
【０１８０】
また、本第４実施形態では、駆動装置１５０においては、電動機Ｍ、平歯車１５２、歯車部材１７０ａ及び螺旋部材１７０ｂは、互いに同期して回転するので、上述のように減速回転したり原速度への復帰回転をしても、電動機Ｍ、平歯車１５２、歯車部材１７０ａ及び螺旋部材１７０ｂの間の同期関係はそのまま維持される。従って、揚送部材１７０により揚送中の遊技球が複数あっても、その間隔は、変化することはない。
【０１８１】
なお、本発明の実施にあたり、上記各実施形態に限ることなく、次のような種々の変形例が挙げられる。
（１）本発明の実施にあたり、上記第１実施形態にて述べた螺旋体１７４において、その最下端螺旋部１７４ａを、その遊技球導入端側にて螺旋勾配を零となるように形成してもよい。
（２）本発明の実施にあたり、上記第１実施形態にて述べた螺旋体１７４の最上端螺旋部１７４ｂは、上記所定の緩螺旋勾配に代えて、上記中間螺旋勾配と同一或いは上記所定の緩螺旋勾配や上記中間螺旋勾配よりも急な螺旋勾配を有するようにしてもよい。これは、縦断面楔状突出部１６４が、その斜面１６４ｂでもって、遊技球を螺旋体１７４の最上端螺旋部により押される方向とは異なりほぼ直角な方向に強制的に方向転換するため、特に、最上端螺旋部１７４ｂの螺旋勾配を上記所定の緩螺旋勾配に限定しなくても、螺旋体１７４の最上端螺旋部からの遊技球の排出が緩やかになされるためである。
（３）本発明の実施あたり、上記各実施形態にて述べた螺旋部材１７０ｂにおいて、螺旋体１７４は、上記各実施形態とは異なり、回転軸１７３とは別体にて構成されていてもよい。
（４）本発明の実施にあたり、上記各実施形態にて述べた揚送装置Ｕは、上記各実施形態とは異なり、遊技機本体１００ｂの裏側に設けられておればよい。
（５）本発明の実施にあたり、横断面コ字状球案内部１６０ｂの上端開口部１６２ａは、上記第１実施形態とは異なり、螺旋部材１７０の螺旋体１７４の最上端螺旋部１７４ｂによる遊技球の排出位置に対応する上記回転軸の外周面部の接線方向とは異なる方向に形成されていてもよい。
(６)本発明の実施にあたり、上記第１実施形態にて述べた螺旋体１７４の最上端螺旋部１７４ｂの螺旋勾配は、上記第１実施形態とは異なり、螺旋体１７４の中間螺旋部１７４ｃの螺旋勾配と同一或いは当該螺旋勾配よりも大きくてもよい。
【符号の説明】
【０１８２】
Ｕ…揚送装置、１２０…遊技盤、１６０…通路部材、１６１…下端開口部、
１６２ａ、１６２ｃ…上端開口部、１６４…断面楔状突出部、１７０…揚送部材、
１７３…回転軸、１７４…螺旋体、１７４ａ、１７４ｄ…最下端螺旋部、
１７４ｂ…最上端螺旋部、１７４ｃ…中間螺旋部。
【図１】
2015159852.tif 000003
【図２】
2015159852.tif 000004
【図３】
2015159852.tif 000005
【図４】
2015159852.tif 000006
【図５】
2015159852.tif 000007
【図６】
2015159852.tif 000008
【図７】
2015159852.tif 000009
【図８】
2015159852.tif 000010
【図９】
2015159852.tif 000011
【図１０】
2015159852.tif 000012
【図１１】
2015159852.tif 000013
【図１２】
2015159852.tif 000014
【図１３】
2015159852.tif 000015
【図１４】
2015159852.tif 000016
【図１５】
2015159852.tif 000017
【図１６】
2015159852.tif 000018
【図１７】
2015159852.tif 000019
【図１８】
2015159852.tif 000020
【図１９】
2015159852.tif 000021
【図２０】
2015159852.tif 000022
【図２１】
2015159852.tif 000023
【図２２】
2015159852.tif 000024
【図２３】
2015159852.tif 000025
【図２４】
2015159852.tif 000026
【図２５】
2015159852.tif 000027
【図２６】
2015159852.tif 000028
【図２７】
2015159852.tif 000029
【図２８】
2015159852.tif 000030
【図２９】
2015159852.tif 000031
【図３０】
2015159852.tif 000032
【図３１】
2015159852.tif 000033
【図３２】
2015159852.tif 000034
【図３３】
2015159852.tif 000035